【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
画像処理装置であって、
第１データ形式の画像データを記憶する記憶手段と、
前記記憶手段に記憶される前記第１データ形式の画像データを第２データ形式の画像データに変換する変換手段と、
少なくとも前記記憶手段への電力供給を遮断する省電力状態へ移行する場合、ネットワークを介して接続されている他の画像処理装置に対して、前記記憶手段に記憶される前記第１データ形式の画像データ及び該第１データ形式の画像データを前記変換手段により変換処理して生成された前記第２データ形式の画像データの双方を送信する送信手段と、
前記送信手段が前記第１データ形式の画像データ及び前記第２データ形式の画像データの双方を送信した後に省電力状態へ移行するよう制御する制御手段と、
を有することを特徴とする画像処理装置。
【請求項２】
前記ネットワーク上に接続されている複数の前記他の画像処理装置から、前記第１データ形式の画像データを前記第２データ形式の画像データに変換することが可能か否かを示す変換情報、及び電力状態が省電力状態か否かを示す電力状態情報を取得する取得手段と、
前記取得手段により取得された前記変換情報及び前記電力状態情報に基づいて、前記変換処理が実行可能な非省電力状態の第１の画像処理装置が存在するか判断する第１の判断手段と、
前記取得手段により取得された前記変換情報及び前記電力状態情報に基づいて、前記変換処理が実行不能な非省電力状態の第２の画像処理装置が存在するか判断する第２の判断手段とを有し、
前記送信手段は、省電力状態へ移行する際、前記第１の判断手段により前記第１の画像処理装置が存在すると判断された場合には、該第１の画像処理装置に対して前記記憶手段に記憶される特定のデータ形式の画像データを送信し、前記第１の判断手段により前記第１の画像処理装置が存在しないと判断され、且つ前記第２の判断手段により前記第２の画像処理装置が存在すると判断された場合には、該第２の画像処理装置に対して前記記憶手段に記憶される前記第１データ形式の画像データ及び該第１データ形式の画像データを前記変換手段により変換処理して生成された前記第２データ形式の画像データの双方を送信することを特徴とする請求項１に記載の画像処理装置。
【請求項３】
前記制御手段は、前記第１の判断手段により前記第１の画像処理装置が存在しないと判断され、且つ前記第２の判断手段により前記第２の画像処理装置が存在しないと判断された場合には、前記省電力状態への移行を制限することを特徴とする請求項２に記載の画像処理装置。
【請求項４】
前記第１データ形式は、ベクトルデータ形式であり、
前記第２データ形式は、ビットマップデータ形式であることを特徴とする請求項１乃至３のいずれか１項に記載の画像処理装置。
【請求項５】
画像処理装置と、該画像処理装置とネットワークを介して接続されている他の画像処理装置とを有する画像処理システムであって、
前記画像処理装置は、
第１データ形式の画像データを記憶する第１の記憶手段と、
前記記憶手段に記憶される前記第１データ形式の画像データを第２データ形式の画像データに変換する変換手段と、
少なくとも前記記憶手段への電力供給を遮断する省電力状態へ移行する場合、ネットワークを介して接続されている前記他の画像処理装置に対して、前記記憶手段に記憶される前記第１データ形式の画像データ及び該第１データ形式の画像データを前記変換手段により変換処理して生成された前記第２データ形式の画像データの双方を送信する第１の送信手段と、
前記第１の送信手段が前記第１データ形式の画像データ及び前記第２データ形式の画像データの双方を送信した後に省電力状態へ移行するように制御する制御手段とを有し、
前記他の画像処理装置は、
前記第１の送信手段により送信された前記第１データ形式の画像データ及び前記第２データ形式の画像データの双方を受信する受信手段を有することを特徴とする画像処理システム。
【請求項６】
前記画像処理装置は、
前記ネットワーク上に接続されている複数の前記他の画像処理装置から、前記第１データ形式の画像データを前記第２データ形式の画像データに変換することが可能か否かを示す変換情報、及び電力状態が省電力状態か非省電力状態かを示す電力状態情報を取得する第１の取得手段と、
前記第１の取得手段により取得された前記変換情報及び前記電力状態情報に基づいて、前記変換処理が実行可能な非省電力状態の第１の画像処理装置が存在するか判断する第１の判断手段と、
前記第１の取得手段により取得された前記変換情報及び前記電力状態情報に基づいて、前記変換処理が実行不能な非省電力状態の第２の画像処理装置が存在するか判断する第２の判断手段とを有し、
前記第１の送信手段は、省電力状態へ移行する際、前記第１の判断手段により前記第１の画像処理装置が存在すると判断された場合には、該他の第１の画像処理装置に対して前記第１の記憶手段に記憶される前記第１データ形式の画像データを送信し、前記第１の判断手段により前記第１の画像処理装置が存在しないと判断され、且つ前記第２の判断手段により前記第２の画像処理装置が存在すると判断された場合には、該第２の画像処理装置に対して前記第１の記憶手段に記憶される前記第１データ形式の画像データ及び該第１データ形式の画像データを前記変換手段により変換処理して生成された前記第２データ形式の画像データの双方を送信することを特徴とする請求項５に記載の画像処理システム。
【請求項７】
前記他の画像処理装置は、
前記受信手段が受信した、前記第１データ形式の画像データ及び前記第２データ形式の画像データの双方を記憶する第２の記憶手段と、
前記ネットワーク上に接続されている複数の前記他の画像処理装置から、前記変換情報及び前記電力状態情報を取得する第２の取得手段と、
前記第２の取得手段により取得された前記変換情報及び前記電力状態情報に基づいて、前記変換処理が実行可能な非省電力状態の第３の画像処理装置が存在するか判断する第３の判断手段と、
前記第３の判断手段により非省電力状態の第３の画像処理装置が存在すると判断された際に、該第３の画像処理装置に対して前記第２の記憶手段に記憶される前記第１データ形式の画像データを送信する第２の送信手段と、
を有することを特徴とする請求項６に記載の画像処理システム。
【請求項８】
前記制御手段は、前記第１の判断手段により前記第１の画像処理装置が存在しないと判断され、且つ前記第２の判断手段により前記第２の画像処理装置が存在しないと判断された場合には、前記省電力状態への移行を制限することを特徴とする請求項５乃至７のいずれか１項に記載の画像処理システム。
【請求項９】
前記他の画像処理装置は、前記第３の画像処理装置に対して送信した前記第１データ形式の画像データ及び前記データ形式の画像データの双方を前記第２の記憶手段から削除するように制御することを特徴とする請求項７又は８に記載の画像処理システム。
【請求項１０】
前記第１データ形式は、ベクトルデータ形式であり、
前記第２データ形式は、ビットマップデータ形式であることを特徴とする請求項５乃至９のいずれか１項に記載の画像処理システム。
【請求項１１】
画像処理装置の制御方法であって、
前記画像処理装置が備える記憶手段に記憶される第１データ形式の画像データを第２データ形式の画像データに変換する変換ステップと、
前記画像処理装置が少なくとも前記記憶手段への電力供給を遮断する省電力状態へ移行する場合、前記画像処理装置とネットワークを介して接続されている他の画像処理装置に対して、第１データ形式の画像データ及び該第１データ形式の画像データを変換処理して生成された前記第２データ形式の画像データの双方を送信する送信ステップと、
前記送信ステップにて前記第１データ形式の画像データ及び前記第２データ形式の画像データの双方を送信した後に前記画像処理装置を省電力状態へ移行させるように制御する制御ステップと、
を有することを特徴とする制御方法。
【請求項１２】
請求項１１に記載された画像処理装置の制御方法をコンピュータに実行させるためのプログラム。
【手続補正２】
【補正対象書類名】明細書
【補正対象項目名】００１８
【補正方法】変更
【補正の内容】
【００１８】
本発明は、画像処理装置であって、第１データ形式の画像データを記憶する記憶手段と、前記記憶手段に記憶される前記第１データ形式の画像データを第２データ形式の画像データに変換する変換手段と、少なくとも前記記憶手段への電力供給を遮断する省電力状態へ移行する場合、ネットワークを介して接続されている他の画像処理装置に対して、前記記憶手段に記憶される前記第１データ形式の画像データ及び該第１データ形式の画像データを前記変換手段により変換処理して生成された前記第２データ形式の画像データの双方を送信する送信手段と、前記送信手段が前記第１データ形式の画像データ及び前記第２データ形式の画像データの双方を送信した後に省電力状態へ移行するよう制御する制御手段と、を有することを特徴とする。
【手続補正３】
【補正対象書類名】明細書
【補正対象項目名】００９８
【補正方法】変更
【補正の内容】
【００９８】
例えば、上記ステップＳ７０１において取得されたＬＡＮ上のＭＦＰの情報が図１０に示すように、ビットマップフォーマット対応機Ｃが非省電力モード、ビットマップフォーマット対応機Ｄが省電力モードであったとする。この場合、ＬＡＮ１０５上の非省電力モードのビットマップフォーマット対応機は、ビットマップフォーマット対応機Ｃ３３０である。
【手続補正４】
【補正対象書類名】明細書
【補正対象項目名】０２０２
【補正方法】変更
【補正の内容】
【０２０２】
また、前記要求を受けたサーバ１５００は、ハードディスクＳ１５１０上のビットマップフォーマットサムネイルＡ１１００、ベクトルデータフォーマットサムネイルＡ６１０のうち、ビットマップフォーマットサムネイルＡ１１００をビットマップフォーマット対応機Ｄ３４０に対して送信する。前述したように、サーバ１５００は、同一画像に対してビットマップフォーマット及びベクトルデータフォーマットの両方のサムネイルを保存している場合、サムネイルを要求しているＭＦＰが対応可能なフォーマットの方を送信する。したがって、ハードディスクＳ１５１０上のビットマップフォーマットサムネイルＡ１１００、ベクトルデータフォーマットサムネイルＡ６１０のうち、ビットマップフォーマットサムネイルＡ１１００をビットマップフォーマット対応機Ｄ３４０に対して送信する。